(57)【要約】【課題】ワイヤハーネスの損傷を防止するとともに、結束バンドの緩みを防止して、品質及び信頼性の向上を図ることができる結束バンドの固定構造を提供する。【解決手段】  結束バンド１０の固定構造は、バンド係止部１３をバンド挿通孔１４内に有するロック部１１と、ロック部１１から延出され、ロック部１１のバンド挿通孔１４内でバンド係止部１３に係合する係合部１５が長手方向に連続して複数形成されたバンド部１２と、を有し、バンド部１２によりワイヤハーネスを束ねてプロテクタ４０に止着する結束バンド１０をプロテクタ４０に固定する結束バンド１０の固定構造であって、プロテクタ４０の一部を含み、ロック部１１の少なくとも３方を囲んでロック部１１を収容するロック部収容部１６を有する。【選択図】        図１
2005178847.tif 000002
【特許請求の範囲】
【請求項１】
バンド係止部をバンド挿通孔内に有するロック部と、
前記ロック部から延出され、前記ロック部の前記バンド挿通孔内で前記バンド係止部に係止する係合部が長手方向に連続して複数形成されたバンド部と、を有し、
前記バンド部によりワイヤハーネスを束ねてプロテクタに止着する結束バンドを前記プロテクタに固定する結束バンドの固定構造であって、
前記プロテクタの一部を含み、前記ロック部の少なくとも３方を囲んで前記ロック部を収容するとともに、該ロック部の収容方向が特定されるロック部収容部を有し、前記ワイヤハーネス結束時の前記バンド部先端の取付け方向を抑制することを特徴とする結束バンドの固定構造。
【請求項２】
前記ロック部収容部は、前記バンド部が前記ロック部から延出する方向に配置され、前記ロック部と当接する第１壁と、前記バンド部が前記バンド挿通孔から挿出される方向に配置され、前記ロック部と当接する第２壁と、前記バンド部が前記バンド挿通孔に挿入される方向に配置され、前記ロック部と当接する第３壁と、前記ロック部が挿入される開口部と、前記ロック部の挿入方向に配置され、前記ロック部と当接する底壁と、を有することを特徴とする請求項１に記載した結束バンドの固定構造。
【請求項３】
前記第２壁が、前記ロック部から挿出された前記バンド部を挿通する挿通部を有することを特徴とする請求項２に記載した結束バンドの固定構造。
【請求項４】
前記第３壁が、前記ロック部の前記バンド挿通孔に挿入される前記バンド部を誘導支持する誘導孔を有するガイド板に形成されていることを特徴とする請求項２または請求項３に記載した結束バンドの固定構造。
【請求項５】
前記ガイド板が、前記バンド部の誘導方向に複数形成されていることを特徴とする請求項４に記載した結束バンドの固定構造。
【発明の詳細な説明】
【技術分野】
【０００１】
本発明は、ワイヤハーネスをプロテクタに止着する結束バンドをプロテクタに固定する結束バンドの固定構造に関する。
【背景技術】
【０００２】
従来の結束バンドの固定構造の一例として、結束バンド５１のロック部５８を枠壁５９上に固定するようにした結束バンドの固定構造が知られている（例えば、特許文献１参照）。
【０００３】
図６に示すように、特許文献１に開示された結束バンドの端部固定構造は、結束バンド５１によりワイヤハーネスをワイヤハーネス固定部５２に固定するに際し、結束バンド５１のバンド部５３を挿通孔５４内に挿通する。バンド部５３を挿通孔５４内に挿通すると、挿通孔５４の内壁の係止突起５５に係合部５６の係止突起５７が係合して、結束バンド５１の移動を規制する。結束バンド５１はロック部５８が枠壁５９に接近する方向に移動出来るが、ロック部５８が枠壁５９から離れる方向へ移動することが出来ない。また、ロック部５８が枠壁５９に当接するまで、結束バンド５１のバンド部５３を挿通孔５４内に挿通させれば、結束バンド５１を挿通孔５４に固定することが出来る。
【０００４】
次に、結束バンド５１を挿通孔５４に固定した後に、バンド部５３をワイヤハーネス固定部５２にワイヤハーネスと共に巻き付け、その先端部をロック部５８に挿通する。そして、ロック部５８からバンド部５３を引き出して締め付け、ロック部５８から引き出されたバンド部５３の先端部を適宜の長さを残して切断する。この状態で、係止突起５７が被係合部６１と係合してロック状態となると共に、係止突起５７が挿通孔５４の内壁の係止突起５５と係合して、バンド部５３の上方への移動が規制される。
【特許文献１】特開平０７−０９５７１４号公報（第３−４頁、第１図）
【発明の開示】
【発明が解決しようとする課題】
【０００５】
ところが、上記特許文献１では、結束バンド５１が挿通孔５４に固定された状態で、ロック部５８は挿通孔５４の軸方向の移動のみを規制されており、バンド部５３のロック部５８との接続部分の偏向により、ロック部５８のバンド挿通部分における孔方向が一定にならず、バンド部５３の切り口が移動してワイヤハーネスと干渉することにより、ワイヤハーネスを損傷する虞があった。
また、ロック部５８が枠壁５９上に配置されているために、ロック部５８が露出されており、それによって、他の部材に衝突してロックに緩みが生じる虞があった。
【０００６】
本発明は、上記事情に鑑みてなされたものであって、その目的は、ワイヤハーネスの損傷を防止するとともに、他の部材に衝突して結束バンドが緩むことを防止することにより、品質及び信頼性の向上を図ることができる結束バンドの固定構造を提供することにある。
【課題を解決するための手段】
【０００７】
１）本発明の結束バンドの固定構造は、バンド係止部をバンド挿通孔内に有するロック部と、前記ロック部から延出され、前記ロック部の前記バンド挿通孔内で前記バンド係止部に係止する係合部が長手方向に連続して複数形成されたバンド部と、を有し、前記バンド部によりワイヤハーネスを束ねてプロテクタに止着する結束バンドを前記プロテクタに固定する結束バンドの固定構造であって、前記プロテクタの一部を含み、前記ロック部の少なくとも３方を囲んで前記ロック部を収容するとともに、該ロック部の収容方向が特定されるロック部収容部を有し、前記ワイヤハーネス結束時の前記バンド部先端の取付け方向を抑制することを特徴とする。
【０００８】
前記１）に記載の結束バンドの固定構造によれば、ロック部は、少なくとも３方を囲まれてロック部収容部に収容されることにより外部に露出することがない。そして、ロック部は、バンド挿通孔の孔方向を一定に固定される。従って、ワイヤハーネスに干渉することがなくなるとともに、突出せずに配されるために他の部材に衝突することがなくなる。これにより、ワイヤハーネスの損傷を防止するとともに結束バンドの緩みを防止することができ、品質及び信頼性の向上を図ることができる。
【０００９】
なお、結束バンドとしては、例えば、可撓性を有する樹脂により一体に成形され、略立方体形状をなすロック部から帯状のバンド部が延出された樹脂ファスナーと呼ばれるものを例示できる。結束バンドは、バンド部が被結束物の周囲に巻かれてから、ロック部のバンド挿通孔内に挿通され、引き出されたバンド部が引張されることによって、バンド部の長手方向に形成された係合部が、ロック部のバンド係止部に引っ掛り、それによって、被結束物を束ねるのに用いられる。
【００１０】
２）本発明の結束バンドの固定構造は、前記１）に記載した結束バンドの固定構造において、前記ロック部収容部は、前記バンド部が前記ロック部から延出する方向に配置され、前記ロック部と当接する第１壁と、前記バンド部が前記バンド挿通孔から挿出される方向に配置され、前記ロック部と当接する第２壁と、前記バンド部が前記バンド挿通孔に挿入される方向に配置され、前記ロック部と当接する第３壁と、前記ロック部が挿入される開口部と、前記ロック部の挿入方向に配置され、前記ロック部と当接する底壁と、を有することを特徴とする。
【００１１】
前記２）に記載の結束バンドの端部固定構造によれば、ロック部は、開口部からからロック部収容部に挿入され、第１壁、第２壁、第３壁及び底壁により移動を規制されるので、ロック部を確実に位置決めすることができる。
【００１２】
３）本発明の結束バンドの固定構造は、前記２）に記載した結束バンドの固定構造において、前記第２壁が、前記ロック部から挿出された前記バンド部を挿通する挿通部を有することを特徴とする。
【００１３】
前記３）に記載の結束バンドの端部固定構造によれば、ロック部から挿出されたバンド部は、不要な部分が通常切断されるが、切断部先端を挿通孔内に収めることができ、鋭利な先端部によりワイヤハーネスを損傷することを防止することができる。
【００１４】
４）本発明の結束バンドの固定構造は、前記２）または前記３）に記載した結束バンドの固定構造において、前記第３壁が、前記ロック部の前記バンド挿通孔に挿入される前記バンド部を誘導支持する誘導孔を有するガイド板に形成されていることを特徴とする。
【００１５】
前記４）に記載の結束バンドの固定構造によれば、バンド部は、ガイド板の誘導孔を通って、ロック部のバンド挿通孔に挿入されるために、バンド挿通孔への挿入を正確に行うことができる。
【００１６】
５）本発明の結束バンドの固定構造は、前記４）に記載した結束バンドの固定構造において、前記バンド部を誘導支持する前記誘導孔を有するガイド板が、前記バンド部の誘導方向に複数形成されていることを特徴とする。
【００１７】
前記５）に記載の結束バンドの固定構造によれば、ロック部のバンド挿通孔に挿入されるバンド部が、複数のガイド板の誘導孔によって曲がりを修正されるために、バンド挿通孔に対してバンド部を的確に挿入することができる。
【発明の効果】
【００１８】
本発明の結束バンドの固定構造によれば、ワイヤハーネスの損傷を防止するとともに、他の部材に衝突して結束バンドが緩むことを防止することにより、品質及び信頼性の向上を図ることができる。
【発明を実施するための最良の形態】
【００１９】
以下、本発明に係る実施の形態例を図面に基づいて詳細に説明する。図１は本発明に係る結束バンドの固定構造の一実施形態を示す外観斜視図、図２は図１に示す結束バンドの固定構造の水平断面図、図３は図１に示す結束バンドの固定構造を用いたプロテクタの全体外観図、図４は図１に示す結束バンドの固定構造を用いた結束バンドの固定の第１手順の説明図、図５は図１に示す結束バンドの固定構造を用いた結束バンドの固定の第２手順の説明図である。
【００２０】
図１に示すように、本発明の一実施形態である結束バンドの固定構造は、バンド係止部（図２に示す）１３をバンド挿通孔(図２に示す)１４内に有するロック部１１と、ロック部１１から延出され、ロック部１１のバンド挿通孔１４内でバンド係止部１３に係止する係合部１５が長手方向に連続して複数形成されたバンド部１２と、を有し、バンド部１２によりワイヤハーネス(図２に示す)３０を束ねてプロテクタ４０に止着する結束バンド１０の固定構造であって、前記プロテクタ４０の一部を含み、ロック部１１の少なくとも３方を囲んでロック部１１を収容するロック部収容部１６を有する。
【００２１】
また、ロック部収容部１６には、バンド部１２がロック部１１から延出する方向（図１中、Ｘ軸方向）に配置され、ロック部１１と当接する第１壁１７と、第１壁１７に対向して（図１中、反Ｘ軸方向に）配置され、ロック部１１と当接する収容部形成用壁４１と、バンド部１２がバンド挿通孔１４から挿出される方向（図１中、Ｙ軸方向）に配置され、ロック部１１と当接する第２壁１８と、バンド部１２がバンド挿通孔１４に挿入される方向（図１中、反Ｙ軸方向）に配置され、ロック部１１と当接する第３壁１９と、ロック部１１が挿入される開口部２０と、前記ロック部の挿入方向（図１中、反Ｚ方向）に配置され、ロック部１１と当接する底壁２１とから構成されている。
【００２２】
また、第２壁１８が、ロック部１１から挿出されたバンド部１２を挿通させる挿通部２２を有し、第３壁１９が、ロック部１１のバンド挿通孔１４に挿入されるバンド部１２を誘導支持する誘導孔２３を有するガイド板（第１ガイド板）２４に形成されており、バンド部１２を誘導支持する前記誘導孔２３を有するガイド板（第１ガイド板２４，第２ガイド板２５）が、バンド部１２の誘導方向（Ｙ方向）に複数形成されている。
【００２３】
結束バンド１０は、略立方体形状に形成されたロック部１１と、ロック部１１から帯状に延出されたバンド部１２と、から構成されている。バンド部１２は、係合部１５が長手方向に連続して複数形成されている。
【００２４】
ロック部収容部１６の収容部形成用壁４１は、プロテクタ４０の側壁４２の外側面の一部であり、ロック部収容部１６はプロテクタ４０の側部に配置されている。結束バンド１０のバンド部１２をＸ方向に配置するようにロック部１１がロック部収容部１６の開口部２０からロック部収容部１６内に挿入される。
【００２５】
第１壁１７、第２壁１８、第３壁１９、底壁２１及び収容部形成用壁４１は、それらにによって画成されるロック部収容空間が結束バンド１０のロック部１１よりもわずかに大きい寸法を有するように形成されている。
【００２６】
第２壁１８には、ロック部１１から挿出されたバンド部１２を挿通するために、上端部から下方に向けて切除された挿通部２２を有している。
第３壁１９は第１ガイド板２４に形成されており、第１ガイド板２４は、底板２６上に突出してＬ字形状に形成されている。ガイド板２４には、ロック部１１に挿入されるバンド部１２を誘導支持するための誘導孔２３が形成されている。第１ガイド板２４のバンド部１２挿入方向（図１中、Ｙ方向）には、第２ガイド板２５が設けられている。第２ガイド板２５は第１ガイド板２４と同一の形状に形成されており、第１ガイド板２４からバンド部１２挿入方向に離間して配置されている。第２ガイド板２５にも誘導孔２３が形成されている。
【００２７】
開口部２０は、第１壁１７と、第２壁１８と、収容部形成用壁４１と、第３壁１９と、により４方を囲まれて画成されており、Ｚ軸方向の上方に設けられている。底壁２１は、開口部２０に対向する反Ｚ軸方向に、底板２６に連続して設けられている。
【００２８】
図２に示すように、ロック部１１には、バンド部１２を挿通させるバンド挿通孔１４が形成されており、バンド挿通孔１４の内面にはバンド係止部１３が形成されている。バンド係止部１３は、挿入方向（図１中、Ｙ軸方向）へのバンド部１２の移動を許容するが、バンド挿通孔１４内に挿入されたバンド部１２の係合部１５に係合することにより、バンド部１２をロック部１１に固定し、脱抜方向（図１中、反Ｙ軸方向）へのバンド部１２の移動を規制する。
【００２９】
さらに図３を参照して、プロテクタ４０は、略中空角柱状に形成されたハーネス収容部４３，４４を有しており、コネクタ収容部４３，４４には、コネクタ（不図示）が収容される。そして、側壁４２の外側面の一部に、ワイヤハーネス３０を結束する結束バンド１０が配される。
【００３０】
次に、図４及び図５を参照して、結束バンド１０の固定構造の手順について説明する。
【００３１】
まず、図４に示すように、第１手順において、結束バンド１０のロック部１１をロック部収容部１６内に挿入する。このとき、バンド部１２は、第１壁１７と、第３壁１９との間からＸ軸方向に突出して配置される。
【００３２】
次に、図５に示すように、第２手順において、結束バンド１０のロック部１１がロック部収容部１６内に収容されることにより、ロック部１１は、第１壁１７によりＸ軸方向の移動を規制され、収容部形成用壁４１により反Ｘ軸方向の移動を規制され、第２壁１８によりＹ軸方向の移動を規制され、第３壁１９により反Ｙ軸方向の移動を規制され、底壁２１により反Ｚ軸方向の移動を規制される。そして、バンド部１２が、ワイヤハーネス３０の外周部に巻かれた後、第２ガイド板２５の誘導孔２３、第１ガイド板２４の誘導孔２３の順にＹ軸方向に挿通され、ロック部１１のバンド挿通孔１４に挿通される。そして、バンド挿通孔１４から挿出されたバンド部１２が第２壁１８の挿通部２２に挿通されて外部に引き出され、引き出された部分を引張して締め付けることにより、ワイヤハーネス３０をプロテクタ４０の側壁４２に固定する。このとき、バンド部１２の係合部１５がロック部１１のバンド挿通孔１４内のバンド係止部１３に係合してロックされ、バンド部１２がワイヤハーネス３０を締め付けた状態で固定される。その後、第２壁１８の挿通部２２から突出したバンド部１２の先端部が所定の長さに切断される。
【００３３】
上述したように、本実施形態の結束バンドの固定構造によれば、ロック部１１は、第１壁、第２壁、第３壁、底壁及び収容部形成用壁により開口部側の１方を除いて残りの５方すべての移動を規制され、バンド挿通孔の孔方向を一定に固定することができる。さらに、バンド部１２が第１ガイド板２４及び第２ガイド板２５の誘導孔２３、２３に挿通されるので、ロック部１１は開口部側の１方（即ち、Ｚ軸方向）の移動も規制され、ロック部収容部１６から抜け落ちることがない。また、ロック部１１は、ロック部収容部１６に収容されて外部に露出することがなく、バンド部１２の先端部の切り口も第２壁１８の挿通部２２内に挿通されて、バンド部１２の先端部切り口の突出量は、一定の長さに規制される。従って、ロック部１１及びバンド部１２の先端部の切り口が、ワイヤハーネス３０自身又は周辺の他のワイヤハーネス（不図示）に干渉してワイヤハーネス３０を損傷することを防止することができるとともに、ロック部１１が他の部材に衝突して、結束バンド１０が緩むことを防止することができ、品質及び信頼性の向上を図ることができる。
【００３４】
また、本実施形態の結束バンドの固定構造によれば、バンド部１２は、第１ガイド板２４の誘導孔２３を通って、ロック部１１のバンド挿通孔２４に挿入されるために、バンド挿通孔２４への挿入を正確に行うことができる。
【００３５】
また、本実施形態の結束バンドの固定構造によれば、ロック部１１のバンド挿通孔１４に挿入されるバンド部１２が、複数の第１，第２ガイド板２４，２５の誘導孔２３，２３によって曲がりを修正されるために、バンド挿通孔１４に対してバンド部１２を的確に挿入することができる。
【００３６】
なお、本発明は、前述した実施形態に限定されるものではなく、適宜、変形、改良等が可能である。例えば、第１壁、第２壁、第３壁の形状は、図示したものに何ら限定されることはなく、丸棒形状や角棒形状にしても良い。
図６は、本発明の結束バンドの端部固定構造に係るプロテクタの変形例を示す。プロテクタ４０Ａのロック部収容部１６Ａは、第２壁１８Ａの上端が側壁４２と連結しており、下端の一部が開放されている。これにより、バンド部１２を挿通させる挿通部２２Ａの上方が塞がれて、バンド部１２先端の切り口の上方への動きをガイド板２４，２５と協働して規制することができる。
【００３７】
また、第１ガイド板、第２ガイド板からなるガイド板は、図示した２個に限定されず、３個であっても、４個であっても良い。また、筒形状に連続的に形成しても良い。
【図面の簡単な説明】
【００３８】
【図１】本発明に係る結束バンドの端部固定構造の一実施形態を示す外観斜視図である。
【図２】図１における結束バンドの端部固定構造の水平断面図である。
【図３】図１における結束バンドの端部固定構造を用いたプロテクタの全体外観図である。
【図４】図１における結束バンドの端部固定構造を用いた結束バンドの固定の第１手順の説明図である。
【図５】本発明に係る結束バンドの端部固定構造の変形例を示す外観斜視図である。
【図６】図１における結束バンドの端部固定構造を用いた結束バンドの固定の第１手順の説明図である。
【図７】従来の結束バンドの端部固定構造の外観図である。
【符号の説明】
【００３９】
１０  結束バンド
１１  ロック部
１２  バンド部
１３  バンド係止部
１４  バンド挿通孔
１５  係合部
１６  ロック部収容部
１７  第１壁
１８  第２壁
１９  第３壁
２０  開口部
２１  底壁
２２  挿通部
２３  誘導孔
２４  第１ガイド板（ガイド板）
２５  第２ガイド板（ガイド板）
３０  ワイヤハーネス
４０  プロテクタ
４１  収容部形成用壁
【図１】
2005178847.tif 000003
【図２】
2005178847.tif 000004
【図３】
2005178847.tif 000005
【図４】
2005178847.tif 000006
【図５】
2005178847.tif 000007
【図６】
2005178847.tif 000008
【図７】
2005178847.tif 000009
【手続補正書】
【提出日】平成15年12月25日(2003.12.25)
【手続補正１】
【補正対象書類名】図面
【補正対象項目名】図６
【補正方法】変更
【補正の内容】
【図６】
2005178847.tif 000010